(57)【要約】【課題】  従来技術の欠点を排除することであり、ランプ用ソケットを改善することであり、色々の位置で多種類のランプを取付け可能なランプ用ソケットを提供することである。【解決手段】  ランプソケット１０が、長手方向軸１４と、長手方向軸に沿って離間し且つ直交する第１平面１６及び第２平面１８とを有するハウジング１２を有する。ランプ受け用の中心開口２０が長手方向軸と同中心状態に整列され、ランプを受け且つ電気的に接続させるランプ取付け手段２１が第１平面に形成され、第２平面にはソケット内部にランプを維持するための手段２１ａが共形成される。ランプ取付け手段２１は第１平面１６に形成した第１キャビティ対２２’、２４’内に位置決めした第１ランプ接点対２２，２４を含む。手段２１ａは、第２平面１８に形成した第１ランプベース受け部３０及び第２ランプベース受け部３２を含み、第１及び第２の各ランプベースリテーナ３８、４０が夫々第２平面１８と関連付けされる。【選択図】  図１
2008103338.tif 000002
【特許請求の範囲】
【請求項１】
ランプソケットであって、
長手方向軸と、この長手方向軸に沿って離間し且つ直交する第１平面及び第２平面とを有するハウジングと、
長手方向軸と同中心状態に整列するランプ受け用の中心開口と、
前記第１平面に形成されたランプ取付け手段にして、取り付けたランプを電気的に接続させるランプ取付け手段と、
前記第２平面と共形成された、ランプソケット内部にランプを維持するための手段とを含むランプソケット。
【請求項２】
ランプ取付け手段が、
ハウジングの第１平面に形成した第１キャビティ対内に位置決めした第１ランプ接点対を含み、
第１ランプベース受け部及び第２ランプベース受け部がハウジングの第２平面に形成され、
第１及び第２の各ランプベースリテーナが前記第２平面と関連付けされる請求項１のランプソケット。
【請求項３】
第１ランプ接点対の各ランプ接点が、
脚部及び湾曲部を有するＵ字形部材と、
前記湾曲部から、該湾曲部と平行な方向に伸延する第１タブと、
前記湾曲部から、該湾曲部と直交する方向に伸延する第２タブと、
該第２タブと共に形成したワイヤコネクターと、
を含む請求項２のランプソケット。
【発明の詳細な説明】
【技術分野】
【０００１】
本発明はランプソケットに関し、詳しくは、前方取付け位置又は後方取付け位置にランプを取付け可能なソケットに関する。
【背景技術】
【０００２】
ランプを前方又は後方の何れかの位置に取付けるようにした高出力ランプ取付け具がランプ取付け具製造業者により製造されているが、そうした取付け具では特別形状のランプを取り付けるための数多くの異なるソケットが必要とされる。そのため製造業者は、多数のランプソケットの在庫をキープしておく必要があるが、この方法は費用を要し且つ煩わしくもある。かくして、多種類のランプを取付け可能で且つ前方または後方の何れかからもランプを取付けるように位置付け得るソケットには技術的な進歩性があると言える。
【０００３】
【特許文献１】米国特許第７，０５９，８８８号
【発明の開示】
【発明が解決しようとする課題】
【０００４】
解決しようとする課題は、従来技術の欠点を排除することであり、解決しようとする他の課題は、ランプ用ソケットを改善することであり、解決しようとする更に他の課題は、色々の位置で多種類のランプを取付け可能なランプ用ソケットを提供することである。
【課題を解決するための手段】
【０００５】
本発明によれば、ランプ用ソケットであって、長手方向軸と、この長手方向軸に沿って離間し且つ直交する第１平面及び第２平面とを有するハウジングと、長手方向軸と同中心状態に整列するランプ受け用の中心開口と、前記第１平面に形成されたランプ取付け手段にして、取り付けたランプを電気的に接続させるランプ取付け手段と、前記第２平面に共形成された、ソケット内部にランプを維持するための手段とを含むソケットが提供される。ソケットは、前方位置又は後方位置からランプを受け入れ可能であることから、多種類のランプ取付け具で使用することができる。
【発明を実施するための最良の形態】
【０００６】
図面を参照して本発明を詳しく説明するに、図１には前方装着式ランプ取付け具１００が示され、前方部分１２０と後方部分１３０とを含むハウジング１１０を有している。後方部分１３０は支持体１４０に固定され得、前方部分１２０は、ランプソケット（以下、単にソケットとも称する）１０に挿通したランプ１６０にアクセスできるよう、ヒンジ１５０を介して開放可能とされる。ランプ１６０は矢印１７０、１８０で表示する各方向でソケット１０に挿通され、取り外される。
【０００７】
図２には後方取付け式ランプ取付け具２００が示され、前方部分２２０と後方部分２３０とを有するハウジング２１０を有している。この実施例では前方部分２２０が支持体２４０に固定され、後方部分２３０が、ソケット１０に挿通したランプ１６０にアクセスできるようにヒンジ２５０を介して開放可能とされる。後方取付け式ランプ取付け具２００では、ランプ１６０は矢印２７０、２８０で表示する各方向でソケット１０に挿通され、取り外される。
【０００８】
図３〜図５には、高温セラミックまたは高温プラスチックのような好適な材料製の可逆ベース部を持つランプカプセル１６１を含むランプ１６０が示される。可逆ベース部１６２は、突出する一対のランプ接点１６４を対向配置したフランジ１６３を含み、フランジ１６３にはランプ接点１６４と直交するランプリテーナ１６５が形成される。可逆ベース部１６２は、色々の焦点距離のタングステンハロゲンカプセルまたはアーク放電カプセルの如き色々のタイプのランプを収受するための、図３に示すような長い胴部または図４や図５に示すような短い胴部を有し得る。
【０００９】
図３や図４に示すランプ１６０は、前方、つまりランプカプセル側を向いたランプ接点１６４を有するものであって、ランプを後方から挿通する後方取付け式ランプ取付け具２００と共に使用される。
図５に示すランプ１６０は、後方、つまりランプカプセル側から離れる方向を向いたランプ接点１６４を有するものであって、前方取付け式ランプ取付け具１００と共に使用される。
以下に、何れかのタイプのランプまたは何れかのタイプのランプ取付け具と共に使用し得る本発明のランプソケット１０を説明する。
【００１０】
図６及び図７には、長手方向軸１４と、この長手方向軸１４に沿って離間し且つ直交する第１平面１６及び第２平面１８とを備えるハウジング１２を有するランプソケット１０が示される。ランプソケット１０は、長手方向軸１４と同中心状態に整列するランプ受け用の中央開口２０を有し、ランプを受け且つ電気的に接続するための取付け手段２１が第１平面１６に形成され、第２平面１８にはランプソケット１０内でランプを維持するための取付け手段２１ａが形成される。
【００１１】
詳しく説明すると、本発明の一実施例では取付け手段２１が、何れも第１キャビティ対２２’及び２４’内に位置決めしたランプ接点係合体対２２及び２２に夫々通じるアーチ状開口２０ａ及び２０ｂを含む。各第１キャビティは第１平面１６内に直に形成し得るが、以下に明らかにする理由から、第１平面１６よりも幾分高くしたボス２２”、２４”内に形成するのが好ましい。
【００１２】
ランプ接点係合体対２２及び２４は、例えば図１０にはその一方であるランプ接点係合体２２が示されるが、脚部４４、４６及び湾曲部４８を有するＵ字形部材４２を各々含み、湾曲部４８からは、この湾曲部４８と平行に第１タブ５０が伸延され、湾曲部と直交する方向には第２タブ５２が伸延される。第１タブ５０は第１キャビティ対２２’及び２４’の底部に形成した図示しない長孔内に伸延して各ランプ接点係合体を正しく位置決めする。第２タブ５２には、ランプを外部電源に接続するワイヤコネクタ５４が形成される。本発明の好ましい実施例では、第１キャビティ対２２’及び２４’は、電気的接続を良好なものとするための、例えばニッケル製の内側材料５６と、要求される垂直効力（normal force）を提供するための、例えば鉄製の外側材料５８とを有するバネである。ランプ接点係合体の入口部６０は、バルブ装着時に、バルブが完全に挿通されたことが分かる感触をオペレーターに提供するべく、図示されるように形成される。２つの材料を含むバネは２００６年６月１３日付で発行された米国特許第７，０５９，８８８号に示される。
【００１３】
図７を参照するに、第２平面１８に、湾曲状の切り欠き形状を有する第１ランプベース受け部３０及び第２ランプベース受け部３２が形成される。第１ランプベース受け部３０は、ランプ接点１６４を収納するフランジ１６３部分を受け、より直径の大きい第２ランプベース受け部３２はランプリテーナ１６５を受ける。第２平面１８には、第１ランプベースリテーナホルダ３８及び第２ランプベースリテーナホルダ４０が夫々関連付けされる。第１及び第２の各ランプベースリテーナホルダ３８及び４０は第２ランプベース受け部３２に上被して、ランプ１６０をランプソケット１０に挿通して第１位置から第２位置に回転させた後にこのランプ１６０をしかるべく保持する長いアームの形態を有し得る。ランプ１６０が前記第２位置にある時、ランプリテーナ１６５はランプリテーナホルダ３８、４０の下側に位置決めされる。
図１１を参照するに、ランプ接点係合体対２２、２４を正しい位置に保持するカバー部材５０が第１平面１６に取り付けられる。カバー５０の表面５６には、第１平面１６に形成したボス２２”及び２４”を受ける凹部５２、５４を形成するのが好ましい。この機能構造部分はランプ接点係合体対２２、２４に対する空気通路を増大させる。
【００１４】
図８及び９には、ランプ１６０と、ランプ１６０の錠止位置とが、ランプを後方から装着するようにしたランプソケット１０と共に夫々例示される。図から分かるように、ランプカプセル１６１は、ランプ接点１６４がアーチ状開口２０ａ及び２０ｂを貫くまで、ランプ受け用の中央開口２０を通して挿通される。ランプ１６０を完全に挿通した後、ランプ１６０を、ランプ接点１６４がランプ接点係合体対２２，２４と係合するまで回転させる。この時点で、ランプリテーナ１６５がランプリテーナホルダ３８、４０の下方に位置決めされ、かくしてランプは作動可能となる。図１２には後方から装着するランプ１６０が斜視図で示される。
【００１５】
図１３はランプソケット１０を前方装着用に用いる場合のランプ１６０の斜視図である。図から分かるように、前方装着用ソケットとして用いる場合、ランプ受け用の中央開口２０には可逆ベース部１６２（図１及び５参照）の下方部分１６２ａが挿通される。
かくして、前方装着及び後方装着の両用のソケットとして機能し得、ランプ取付け具製造業者の必要在庫量を大幅に低減させるランプソケットが提供される。本ランプソケットは、タングステン−ハロゲンランプのみならず、アーク放電ランプも取付け可能である他に、焦点距離の変化幅の広いランプをも取付け可能である。
以上、本発明を実施例を参照して説明したが、本発明の内で種々の変更をなし得ることを理解されたい。
【図面の簡単な説明】
【００１６】
【図１】前方取付け式ランプ取付け具のダイヤグラム図である。
【図２】後方取付け式ランプ取付け具のダイヤグラム図である。
【図３】本発明の一実施例と共に使用可能なランプの斜視図である。
【図４】本発明の一実施例と共に使用可能なランプの斜視図である。
【図５】本発明の一実施例と共に使用可能なランプの斜視図である。
【図６】本発明の一実施例を用いるランプソケットの第１平面の正面図である。
【図７】本発明の一実施例を用いるランプソケットの第２平面の正面図である。
【図８】ランプソケットへのランプ挿通状況を例示する平面図である。
【図９】ランプソケットへのランプ挿通状況を例示する平面図である。
【図１０】ランプソケットへのランプの一挿通状況を例示する斜視図である。
【図１１】本発明の一実施例と共に使用するカバーの平面図である。
【図１２】本発明の一実施例に従うランプとランプソケットの斜視図である。
【図１３】本発明の他の実施例に従うランプとランプソケットの斜視図である。
【符号の説明】
【００１７】
１０  ランプソケット
１２  ハウジング
１４  長手方向軸
１６  第１平面
１８  第２平面
２０  ランプ受け用の中央開口
２０ａ、２０ｂ  アーチ状開口
２１  取付け手段
２２’、２４’  第１キャビティ
２２、２４  ランプ接点係合体
２２”、２４”  ボス
３０  第１ランプベース受け部
３２  第２ランプベース受け部
３８  第１ランプベースリテーナホルダ
４０  第２ランプベースリテーナホルダ
４２  Ｕ字形部材
４４、４６  脚部
４８  湾曲部
５０  第１タブ
５０  カバー部材
５２  第２タブ
５２、５４  凹部
５４  ワイヤコネクタ
５６  内側材料
５６  表面
５８  外側材料
６０  入口部
１００  前方取付け式ランプ取付け具
１１０  ハウジング
１２０  前方部分
１３０  後方部分
１４０  支持体
１５０  ヒンジ
１６０  ランプ
１６１  ランプカプセル
１６２  可逆ベース部
１６３  フランジ
１６４  ランプ接点
２００  後方取付け式ランプ取付け具
２１０  ハウジング
２２０  前方部分
２３０  後方部分
２４０  支持体
２５０  ヒンジ
【図１】
2008103338.tif 000003
【図２】
2008103338.tif 000004
【図３】
2008103338.tif 000005
【図４】
2008103338.tif 000006
【図５】
2008103338.tif 000007
【図６】
2008103338.tif 000008
【図７】
2008103338.tif 000009
【図８】
2008103338.tif 000010
【図９】
2008103338.tif 000011
【図１０】
2008103338.tif 000012
【図１１】
2008103338.tif 000013
【図１２】
2008103338.tif 000014
【図１３】
2008103338.tif 000015